(57)【要約】【課題】  この考案は、使用者によってハンディ型でも据え置き型でも自由に使用することができるシート厚さ測定器を提供することを課題とする。【解決手段】  この考案は、シートを表裏から接触子で挟み込むことでシートの厚みを測定するシート厚さ測定器であって、軸線方向に移動可能な上側接触子２５Ａと、この上側接触子２５Ａに対向する下側接触子１６と、この上側接触子２５Ａと下側接触子１６とが対向して配置される測定空間１７を構成する上顎部１５Ａと下顎部１５Ｂを有する保持枠１５と、この保持枠１５に設けられたハンドル部１５Ｃと、下顎部１５Ｂに開閉自在に設けられた脚部３０とを備え、脚部３０を開いて、脚部３０とハンドル部１５Ｃの底部１５Ｄとでシート厚さ測定器１を自立させる。【選択図】    図８
0003206532.tif 000002
【実用新案登録請求の範囲】
【請求項１】
シートを表裏から接触子で挟み込むことでシートの厚みを測定するシート厚さ測定器であって、
軸線方向に移動可能な上側接触子と、この上側接触子に対向する下側接触子と、この上側接触子と下側接触子とが対向して配置される測定空間を構成する上顎部と下顎部を有する保持枠と、この保持枠に設けられたハンドル部と、前記下顎部に開閉自在に設けられた脚部とを備え、
前記脚部を開いて、前記脚部と前記ハンドル部の底部とでシート厚さ測定器を自立させることを特徴とするシート厚さ測定器。
【請求項２】
前記脚部は下顎部の下方に設けられた取り付け部に開閉自在に取り付けられた脚部本体と、脚部本体の開閉方向と直交する方向に開閉自在に取り付けられた足部とを有し、前記脚部本体を開いて且つ足部を開くと前記ハンドル部の底部と足部との３点で保持枠を支持することを特徴とする請求項１に記載のシート厚さ測定器。
【請求項３】
前記下顎部に脚部を閉じた時に当接する第１のストッパと、脚部を開いた時に当接する第２のストッパとを設けたことを特徴とする請求項１又は２に記載のシート厚さ測定器。
【請求項４】
前記脚部本体に足部を閉じた状態の幅が保持枠の幅より狭くしていることを特徴とする請求項２又は３に記載のシート厚さ測定器。
【請求項５】
前記足部を開いた状態が保持枠の幅より広くなるよう構成されていることを特徴とする請求項２又は３に記載のシート厚さ測定器。
【考案の詳細な説明】
【技術分野】
【０００１】
この考案は、シート厚さ測定器に係り、特に、手で保持して、樹脂フィルム、紙等のシート厚さを測定するハンディ型シート厚さ測定器と机の上等に置く据え置き型シート厚さ測定器としても用いることができるシート厚さ測定器に関するものである。
【背景技術】
【０００２】
従来、樹脂フィルムや紙などのシートの厚さを測定するシート測定器として、手で保持するダイヤルゲージを用いた変位測定器が知られている（例えば、特許文献１参照）。
【０００３】
この特許文献１に記載の厚さ測定器としての変位測定器１００は、図１５に示すように、ダイヤルゲージ１１０と、このダイヤルゲージ１１０を保持する保持枠１１５と、手動操作可能なリフティングレバー１２０とを備え、リフティングレバー１２０でスピンドル１２５を強制的にシフトさせる構成となっている。
【０００４】
ダイヤルゲージ１１０は、保持枠１１５のほぼ上部に固定されており、この保持枠１１５は、ダイヤルゲージ１１０の下方位置に形成されている上顎部１１５Ａと、この上顎部１１５Ａと対向するとともに測定空間１１７を構成する下顎部１１５Ｂと、手の指を入れて掴むことができる把持部１１５Ｃとを有している。そして、下顎部１１５Ｂには、例えば樹脂フィルム等のシートを測定するために、そのシートを載置可能とするアンビル１１６が設けられている。
【０００５】
ダイヤルゲージ１１０は、表面に測定値を表す数字が記された測定器本体であるゲージ本体１１１を備えている。このゲージ本体１１１には、当該ゲージ本体１１１を貫通して前記スピンドル１２５がその長手方向に摺動可能に設けられている。このスピンドル１２５は、その測定端部１２５Ａ側が前記測定空間１１７内において下顎部１１５Ｂの近傍まで延びる長さに形成されるとともに、測定端部１２５Ａは、アンビル１１６の表面に圧接可能とされている。
【０００６】
この変位測定器を使用する時は、まず、スピンドル１２５の測定端部１２５Ａとアンビル１１６の表面との圧接状態、つまり、寸法表示が零となっていることを確認しておく。次いで、保持枠１１５の把持部１１５Ｃを握り、リフティングレバー１２０の手動端部１２０Ｂを矢印方向に押す。すると、リフティングレバー１２０の駆動端部１２０Ａが揺動し、それに連れて、リフティングレバー１２０と係合しているスピンドル２５が上昇する。
【０００７】
その結果、スピンドル１２５の測定端部１２５Ａとアンビル１１６の表面との間に隙間が形成されるので、樹脂フィルム等のシートを測定空間１１７において、アンビル１１６の表面に載せておいて測定を開始する。測定に際しては、リフティングレバー１２０の手動端部１２０Ｂを矢印とは反対方向に押すと、上述と逆の動作により、スピンドル１２５がアンビル１１６側に移動し、スピンドル１２５の測定端部１２５Ａがシートを挟んでアンビル１１６の表面に圧接される。このときの寸法を読み込むことで、シートの厚さが測定される。
【先行技術文献】
【特許文献】
【０００８】
【特許文献１】特開２００４―２８６５７３号公報
【考案の概要】
【考案が解決しようとする課題】
【０００９】
上記した変位測定器は、手で保持して樹脂フィルム等のシートを測定することはできる。しかし、手で持った状態を長く続けると使用者が疲労を感じる場合がある。特許文献１のものは据え置きの状態で使用することは困難であり、使用者が疲れた場合には、休憩する等測定を中断することになる。
【００１０】
この考案の目的は、使用者によってハンディ型でも据え置き型でも自由に使用することができるシート厚さ測定器を提供することにある。
【課題を解決するための手段】
【００１１】
この考案は、シートを表裏から接触子で挟み込むことでシートの厚みを測定するシート厚さ測定器であって、軸線方向に移動可能な上側接触子と、この上側接触子に対向する下側接触子と、この上側接触子と下側接触子とが対向して配置される測定空間を構成する上顎部と下顎部を有する保持枠と、この保持枠に設けられたハンドル部と、前記下顎部に開閉自在に設けられた脚部とを備え、前記脚部を開いて、前記脚部と前記ハンドル部の底部とでシート厚さ測定器を自立させることを特徴とする。
【００１２】
また、前記脚部は下顎部の下方に設けられた取り付け部に開閉自在に取り付けられた脚部本体と、脚部本体の開閉方向と直交する方向に開閉自在に取り付けられた足部とを有し、前記脚部本体を開いて且つ足部を開くと前記ハンドル部の底部と足部との３点で保持枠を支持するように構成することができる。
【００１３】
また、前記下顎部に脚部を閉じた時に当接する第１のストッパと、脚部を開いた時に当接する第２のストッパとを設けるとよい。
【００１４】
また、前記脚部本体に足部を閉じた状態の幅が保持枠の幅より狭くすればよく、前記足部を開いた状態が保持枠の幅より広くすればよい。
【考案の効果】
【００１５】
この考案のシート厚さ測定器は、保持枠の下顎部に開閉自在に脚部を取り付け、この脚部を閉じた際にはハンディ型のシート厚さ測定器として用いることができ、脚部を開いた時には据え置き型のシート厚さ測定器として用いることができる。この結果、使用者の使用態様に容易に対応することができる。
【図面の簡単な説明】
【００１６】
【図１】この考案の実施形態に係るシート厚さ測定器を示す斜視図であり、脚部を閉じた状態を示している。
【図２】この考案の実施形態に係るシート厚さ測定器を示す正面図であり、脚部を閉じた状態を示している。
【図３】この考案の実施形態に係るシート厚さ測定器を示す左側面図であり、脚部を閉じた状態を示している。
【図４】この考案の実施形態に係るシート厚さ測定器を示す正面図であり、上側接触子が上がっている状態を示している。
【図５】この考案の実施形態に係るシート厚さ測定器を示す正面図であり、上側接触子と下側接触子の間にシートを挟んでシートの厚さを測定している状態を示している。
【図６】この考案の実施形態に係るシート厚さ測定器を示す斜視図であり、脚部を開いた状態を示している。
【図７】この考案の実施形態に係るシート厚さ測定器を示す左側面図であり、脚部を開いた状態を示している。
【図８】この考案の実施形態に係るシート厚さ測定器を示す正面図であり、脚部を開いた状態を示している。
【図９】この考案の実施形態に係るシート厚さ測定器を示す斜視図であり、脚部を開いた状態を示している。
【図１０】この考案の実施形態に係るシート厚さ測定器を示す斜視図であり、脚部を開き、足部を閉じた状態を示している。
【図１１】この考案の実施形態に係るシート厚さ測定器を示す左側面図であり、脚部を開き、足部を閉じた状態を示している。
【図１２】この考案の実施形態に係るシート厚さ測定器を示す正面図であり、上側接触子が上がっている状態を示している。
【図１３】この考案の実施形態に係るシート厚さ測定器を示す正面図であり、上側接触子と下側接触子の間にシートを挟んでシートの厚さを測定している状態を示している。
【図１４】この考案の実施形態に係るシート厚さ測定器を示す正面図であり、保護キャップを仮止めした状態を示している。
【図１５】従来の変位測定器を示す模式図である。
【考案を実施するための形態】
【００１７】
この考案の実施の形態について図面を参照しながら詳細に説明する。なお、図中同一または相当部分には同一符号を付し、説明の重複を避けるためにその説明は繰返さない。
【００１８】
この実施形態のシート厚さ測定器１は、デジタルダイヤルゲージ１０と、このデジタルダイヤルゲージ１０を保持する保持枠１５と、この保持枠１５に設けられたハンドル部１５Ｃと、エアシリンダ２２とを備え、エアシリンダ２２でスピンドル２５を上側へ移動させる構成となっている。
【００１９】
デジタルダイヤルゲージ１０は、保持枠１５のほぼ上部に固定されており、この保持枠１５は、デジタルダイヤルゲージ１０の下方位置に形成されている上顎部１５Ａと、この上顎部１５Ａと対向するとともに測定空間１７を構成する下顎部１５Ｂと、手の指をハンドル空間１５Ｅに入れて掴むことができるハンドル部１５Ｃとを有している。そして、下顎部１５Ｂには、例えば樹脂フィルム、紙等のシートを測定するために、そのシートを載置可能とする下側接触子１６が設けられている。
【００２０】
デジタルダイヤルゲージ１０は、測定値を表す数字が表示される表示部１１Ａを有するゲージ本体１１備えている。このゲージ本体１１には、当該ゲージ本体１１を貫通してスピンドル２５がその軸芯方向に移動可能に設けられている。また、デジタルダイヤルゲージ１０の上方には２つの外部端子が設けられ、充電やデータ出力に用いられる。この外部端子に保護キャップ１１Ｂを装着し、外部端子を保護している。
【００２１】
スピンドル２５の先端には上側接触子２５Ａが取り付けられ、スピンドル２５が下降すると、その上側接触子２５Ａが測定空間１７内において下顎部１５Ｂに取り付けられた下側接触子１６に圧接する。
【００２２】
上記の下側接触子１６は下顎部１５Ｂに取り付けられたステム３５に装着される。このステム３５は、図１４に示すように、外部端子から取り外した保護キャップ１１Ｂが装着可能な大きさに形成されており、外部端子を使用している際に、保護キャップ１１Ｂを装着することにより、保護キャップ１１Ｂの紛失を防止する。
【００２３】
エアシリンダ２２には保持枠１５内部に設けられたエアポンプからのエアがチューブ２１を介して与えられる。エアポンプの操作ボタン２０を押すとエアポンプからエアがチューブ２１に送られ、エアシリンダ２２内にエアが送られることによりスピンドル２５が上方に移動し、上側接触子２５Ａが下側接触子１６から離間する。操作ボタン２０を離すとエアが抜け、スピンドル２５が降下し、上側接触子２５Ａと下側接触子１６が圧接する。
【００２４】
図２、図７に示すように、下顎部１５Ｂの下方部に開閉可能に脚部３０が設けられている。図１、図２、図８及び図９に示すように、この脚部３０は、下顎部１５Ｂに設けられた取り付け部３４にヒンジ３３で開閉自在に取り付けられる金属製の脚部本体３１と、この脚部本体３１の開閉方向と直交する方向に開閉可能に設けられた金属製の一対の足部３２とを備える。足部３２は、脚部本体３１にヒンジ３７により取り付けられる。図１４に示すように、脚部本体３１はＬ字状に形成され、Ｌ字状の先端部にヒンジ３３が取り付けられる。
【００２５】
図２に示すように、脚部本体３１を取り付け部３４に取り付けるヒンジ３３は、脚部本体３１を閉じた際にはその状態を保ち、図８に示すように、脚部本体３１を開いた際にはその状態が保てる保持強度を有している。同様に、脚部本体３１に足部３２を取り付けるヒンジ３７は、図２、図１０及び図１１に示すように、足部３２を閉じた際にはその状態を保ち、図６及び図７に示すように、足部３２を開いた際にはその状態が保てる保持強度を有している。
【００２６】
下顎部１５Ｂの下方部には、脚部３０を閉じた時に当接する磁石からなるストッパ３６が設けられている。このストッパ３６は脚部本体３１が当接し、ストッパ３６に脚部本体３１が吸着され、脚部３０が閉じた状態となる。脚部３０が閉じた状態は、下顎部１５Ｂと略平行な状態となり、足部３２もハンドル部１５Ｃの前方壁部１５Ｆに当たらない状態で収容されている。そして、足部３２を閉じた時の脚部３０の幅は保持枠１５の幅より狭く形成されており、ハンディ型として用いる際に邪魔にならないように構成されている。
【００２７】
脚部３０を開くと、図１２に示すように、脚部３０の脚部本体３１のＬ字状の先端の角部の山部が下顎部１５Ｂと当接してその位置で停止する。この時、脚部３０は斜め方向で厚さ測定器１を自立しやすい角度に設定される。そして、足部３２を開くと保持枠１５の幅より広くなり、足部３２の底部がハンドル部１５Ｃの底部１５Ｄと平行になり、ハンドル部１５Ｃの底部１５Ｄと足部３２の底部が同じ高さになるように構成している。そして、図６〜図８に示すように、脚部３０と足部３２を開くとハンドル部１５Ｃの底部１５Ｄと足部３２との３点で支持し、シート厚さ測定器１が自立するように構成されている。このように、脚部３０と足部３２を開くことで据え置き型のシート厚さ測定器１として使用することができる。
【００２８】
次に、この実施形態に係る厚さ測定器の使用状態につき説明する。まず、ハンディ型のシート厚さ測定器１として使用する場合につき説明する。ハンディ型のシート厚さ測定器１として使用する場合には、図１〜図５に示すように、脚部３０を閉じた状態にする。
【００２９】
図４に示すように、保持枠１５のハンドル部１５Ｃを握り、操作ボタン２０を指で押し込む。操作ボタン２０を指で押し込むことで、エアポンプからチューブ２１を介してエアシリンダ２２内にエアが送り込まれ、スピンドル２５が上昇する。
【００３０】
その結果、スピンドル２５の上側接触子２５Ａと下側接触子１６との間に隙間が形成されるので、フィルム等のシート４０を測定空間１７において、下側接触子１６の表面に載せる。そして、図５に示すように、操作ボタン２０から指を離すと、エアシリンダ２２内の空気が抜けてスピンドル２５が降下する。スピンドル２５の上側接触子２５Ａと下側接触子１６がシート４０を挟み込む。このときの寸法が表示部１１Ａに表示され、シート４０の厚さが測定される。
【００３１】
次に、据え置き型のシート厚さ測定器１として使用する場合につき図６〜図１３に従い説明する。据え置き型のシート厚さ測定器１として使用する場合には、図１に示す脚部３０を閉じた状態から脚部３０を開く方向に回転させ、脚部本体３１のＬ字状の先端の角部の山部が下顎部１５Ｂと当接させてその位置で停止させる（図１０及び図１１参照）。そして、その状態から脚部本体３１から一対の足部３２をそれぞれ開いて図６〜図８の状態にする。この状態になると、脚部３０の足部３２とハンドル部１５Ｃの底部１５Ｄとの３点でシート厚さ測定器１を支持することになり、シート厚さ測定器１が自立状態となる。このようにしたシート厚さ測定器１を机などの上に置いて測定を行う。
【００３２】
そして、図１２に示すように、操作ボタン２０を指で押し込む。操作ボタン２０を指で押し込むことで、エアポンプからチューブ２１を介してエアシリンダ２２内にエアが送り込まれ、スピンドルが上昇する。
【００３３】
その結果、スピンドル２５の上側接触子２５Ａと下側接触子１６との間に隙間が形成されるので、フィルム等のシート４０を測定空間１７において、下側接触子１６の表面に載せる。そして、操作ボタン２０から指を離すと、図１３に示すように、エアシリンダ２２内の空気が抜けてスピンドル２５が降下する。スピンドル２５の上側接触子２５Ａと下側接触子１６がシート４０を挟み込む。このときの寸法が表示部１１Ａに表示され、シートの厚さが測定される。
【００３４】
このように、この実施形態の厚さ測定器１は、ハンディ型と据え置き型を使用者のニーズにより簡単に変更することができ、シートの厚さ測定が色々な態様で行うことができる。
【００３５】
今回開示された実施の形態はすべての点で例示であって制限的なものではないと考えられるべきである。この考案の範囲は、上記した実施の形態の説明ではなくて特許請求の範囲によって示され、実用新案登録請求の範囲と均等の意味および範囲内でのすべての変更が含まれることが意図される。
【符号の説明】
【００３６】
１        ：測定器
１０      ：ダイヤルゲージ
１１      ：ゲージ本体
１１Ａ    ：表示部
１１Ｂ    ：保護キャップ
１５      ：保持枠
１５Ａ    ：上顎部
１５Ｂ    ：下顎部
１５Ｃ    ：ハンドル部
１５Ｄ    ：底部
１６      ：下側接触子
１７      ：測定空間
２０      ：操作ボタン
２１      ：チューブ
２２      ：エアシリンダ
２５      ：スピンドル
２５Ａ    ：上側接触子
３０      ：脚部
３１      ：脚部本体
３２      ：足部
３３      ：ヒンジ
３４      ：取り付け部
３５      ：ステム
３６      ：ストッパ
３７      ：ヒンジ
４０      ：シート
【図１】
0003206532.tif 000003
【図２】
0003206532.tif 000004
【図３】
0003206532.tif 000005
【図４】
0003206532.tif 000006
【図５】
0003206532.tif 000007
【図６】
0003206532.tif 000008
【図７】
0003206532.tif 000009
【図８】
0003206532.tif 000010
【図９】
0003206532.tif 000011
【図１０】
0003206532.tif 000012
【図１１】
0003206532.tif 000013
【図１２】
0003206532.tif 000014
【図１３】
0003206532.tif 000015
【図１４】
0003206532.tif 000016
【図１５】
0003206532.tif 000017